(57)【要約】【課題】伝達経路が増加し、優れた電気性能を有するコネクタを提供すること。【解決手段】第１コンタクト１０、第２コンタクト２０、インシュレータ４０を覆うシェル６０を含み、前記第２コンタクト２０は連結部２１，２２と、第２コンタクト接触部２４，２５と、シェル接触部３２，３３と、端子部２６とを有し、前記第２コンタクト接触部２４，２５と前記シェル接触部３２，３３とは、前記連結部２１，２２から延設されており、前記端子部２６は前記第２コンタクト接触部２４，２５と前記シェル接触部３２，３３と異なる方向で前記連結部２１，２２から延設されている。【選択図】      図２
2004327244.tif 000002
【特許請求の範囲】
【請求項１】
導電性の相手コンタクトが配設された相手嵌合部を備えている相手側コネクタの、前記相手嵌合部を挟み込む第１の方向に対向配置される導電性の第１コンタクト及び第２コンタクトと、該第１及び第２コンタクトを保持しているインシュレータと、前記第１コンタクト、前記第２コンタクト、前記インシュレータを覆うシェルとを含むコネクタにおいて、
前記第２コンタクトは、前記第１の方向を交差する第２の方向に延在している連結部と、前記相手コンタクトと接続する第２コンタクト接触部の複数と、前記シェルと接続する少なくとも１つのシェル接触部と、端子部とを有し、
前記第２コンタクト接触部と前記シェル接触部とは、前記連結部から同一方向に延設されており、前記端子部は、前記第２コンタクト接触部と前記シェル接触部と異なる方向で前記連結部から延設されていることを特徴とするコネクタ。
【請求項２】
前記シェル接触部は、前記シェルに接続していることを特徴とする請求項１記載のコネクタ。
【発明の詳細な説明】
【０００１】
【発明の属する技術分野】
本発明は、相手側コネクタと嵌合して接続するコネクタに属し、特に、機器本体からの電気信号をＬＣＤパネルへ伝達するために使用するコネクタに属する。
【０００２】
【従来の技術】
図１７乃至図１９は、先行技術におけるコネクタを示している。図１７は、コネクタと相手側コネクタとの未嵌合状態を示している。図１８は、コネクタと相手側コネクタとの嵌合途中の状態を示している。図１９は、コネクタと相手側コネクタとが嵌合している状態を示している。
【０００３】
図１７乃至図１９を参照して、コネクタ３０１は、コンタクト３１０、グランドプレート３２０、インシュレータ３４０、シェル３６０から組み立てられている。コンタクト３１０とシェル３６０とは、これらが同一な金属部材によって一体に形成されている。
【０００４】
インシュレータ３４０の内部には、コンタクト３１０のバネ片３１２と、グランドプレート３２０のバネ片３２４とを備えており、バネ片３１２，３２４が互いに対向している。コンタクト３１０のバネ片３１２の先端部には、接触部３１３が形成されている。グランドプレート３２０のバネ片３２４の先端部には接触部３２５が形成されている。
【０００５】
シェル３６０は、コネクタ３０１の外周を囲むように配置されている。シェル３６０には、グランドプレート３２０側に窓孔３７７が開けられている。インシュレータ３４０の外部には、グランドプレート３２０の端子部３２６及びコンタクト３１０の端子部（図示せず）が延びている。
【０００６】
相手側コネクタ４０１は相手コンタクト４１０、グランドシェル４１５、相手インシュレータ４２０から構成されている。コンタクト３１０は、嵌合時に相手コンタクト４１０と接触し、グランドシェル４１５はグランドプレート３２０と接触する。
【０００７】
コネクタ３０１及び相手側コネクタ４０１を嵌合すると、コンタクト３１０のバネ片３１２及びグランドプレート３２０のバネ片３２４は相手側コネクタ４０１により変位させられる。
【０００８】
バネ片３１２，３２４の変位の固定端は、当初は各バネ片３１２，３２４の根元部分であるが、図１８の状態になると、グランドプレート３２０のバネ片３２４の裏面がシェル３６０の窓孔３７７の一辺３７８と接触するため、グランドプレート３２０の変位の固定端は一辺３７８の部分となる（例えば、特許文献１を参照）。
【０００９】
【特許文献１】
特開平１１−２８３７１０号公報（第５−７頁、図２３）
【００１０】
【発明が解決しようとする課題】
しかしながら、先行技術におけるコネクタでは、グランドプレート３２０のバネ片３２４のバネ長さは、当初は図１７に示したように、長さ寸法がＬ１であるが、一辺３７８の部分でシェル３６０と接触した後には、図１９に示したように、長さ寸法がＬ２へと変化するのでバネ長さ寸法が短くなる（Ｌ１＞Ｌ２）。
【００１１】
その結果、相手側コネクタ４０１の嵌合途中でバネ定数が高くなるため、相手側コネクタ４０１の挿入力が途中から高くなってしまうという問題がある。
【００１２】
また、グランドプレート３２０のバネ片３２４のバネ定数が高くなるのを防止するために、バネ片３２４をシェル３６０に同じ金属部材により一体に形成した場合には、バネ片３２４の周囲にはスリットを作る必要があり、このスリット部分へのノイズの侵入が防止できないため、電気的性能が劣るという問題がある。
【００１３】
それ故に本発明の課題は、電気的特性に優れ、挿入・抜去力の低いコネクタを提供することにある。
【００１４】
【課題を解決するための手段】
本発明によれば、導電性の相手コンタクトが配設された相手嵌合部を備えている相手側コネクタの、前記相手嵌合部を挟み込む第１の方向に対向配置される導電性の第１コンタクト及び第２コンタクトと、該第１及び第２コンタクトを保持しているインシュレータと、前記第１コンタクト、前記第２コンタクト、前記インシュレータを覆うシェルとを含むコネクタにおいて、前記第２コンタクトは、前記第１の方向を交差する第２の方向に延在している連結部と、前記相手コンタクトと接続する第２コンタクト接触部の複数と、前記シェルと接続する少なくとも１つのシェル接触部と、端子部とを有し、前記第２コンタクト接触部と前記シェル接触部とは、前記連結部から同一方向に延設されており、前記端子部は、前記第２コンタクト接触部と前記シェル接触部と異なる方向で前記連結部から延設されていることを特徴とするコネクタが得られる。
【００１５】
【発明の実施の形態】
以下に、本発明に係るコネクタの第１実施の形態例を説明する。図１は、本発明に係るコネクタの第１実施の形態例と、このコネクタに接続する相手側コネクタを示している。図２は、図１に示したコネクタの分解して示している。図３は、図２に示したコネクタを逆向きにした状態で見た状態を示している。図４は、図２に示したコネクタを反転した状態で見た状態を示している。
【００１６】
この実施の形態例におけるコネクタは、ＬＣＤパネル等の背面に実装され、機器本体からの配線と接続された相手側コネクタと嵌合し、機器本体からの電気信号をＬＣＤパネルへ伝達するために使用されるものである。
【００１７】
図１乃至図４を参照して、第１実施の形態例におけるコネクタ１は、導電性のコンタクト（第１コンタクト）１０と、導電性のグランドプレート（第２コンタクト）２０と、複数のコンタクト１０及びグランドプレート２０を保持するインシュレータ４０と、導電性のシェル６０とを有している。
【００１８】
以下、コネクタ１の各構成部品を、図５及び図６をも参照して説明する。図５は、図２に示したコネクタの要部を拡大して示している。図６は、図３に示したコネクタの要部を拡大して示している。
【００１９】
図１乃至図６を参照して、コンタクト１０は、金属板をプレス加工した後に曲げ加工を施すことによって作られており、圧入部１１と、圧入部１１から一方へ延びているバネ部１２と、バネ部１２の自由端部で湾曲するように曲げ形成されている接触部１３と、圧入部１１から他方へ延びている半田付け用の端子部１４とを有している。
【００２０】
複数のコンタクト１０は、コネクタ１の長手方向（第１の方向）で互いに所定間隔をもって配置されている。ここで、バネ部１２と接触部１３とは、これらを第１コンタクト接触部と呼ぶことにする。
【００２１】
グランドプレート２０は、コネクタ１の長手方向に長い寸法で板状の第１連結部（垂直部分）２１と、第１連結部２１に連接されて第１連結部２１に対して略直角に曲げられている第２連結部（水平部分）２２と、第２連結部２２から一方へ延びているグランド圧入部２３と、グランド圧入部２３から一方へ延びているグランドバネ部２４と、グランドバネ部２４の自由端部でコンタクト１０側へ向かって湾曲するように曲げ形成されているグランド接触部２５とを有している。
【００２２】
グランド圧入部２３、グランドバネ部２４及びグランド接触部２５は、第２連結部２２に複数が連接されており、コネクタ１の長手方向（第１の方向）で互いに所定間隔をもって配置されている。第１及び第２連結部２１，２２は、コネクタ１の長手方向である第１の方向を交差する幅方向である第２の方向へ延在している。
【００２３】
また、グランドプレート２０は、長手方向の両側近傍において第１連結部２１からグランドバネ部２４とは反対方向へ延びているグランド端子部２６と、長手方向の両側に形成されているクリップ部２７とを有している。グリップ部２７は、上側バネ部２８と、上側バネ部２８に対向している下側バネ部３０とを有し、上側バネ部２８及び下側バネ部３０がグランドバネ部２４と同一方向へ延びている。グランドバネ部２４の自由端部には、接触部１３とはが逆向きに湾曲された形状のグランド接触部２５が形成されている。ここで、グランドバネ部２４とグランド接触部２５とは、これらを第２コンタクト接触部と呼ぶことにする。
【００２４】
クリップ部２７の上側バネ部２８には、図５及び図６に拡大して示したように、穴部２９が形成されており、下側バネ部には切欠き３１が形成されている。
【００２５】
さらに、グランド端子部２６とクリップ部２７との間には、付加グランドバネ部３２がグランドバネ部２４と同一方向へ延びている。ここで、付加グランドバネ部３２の自由端部には、付加グランド接触部３３が、グランド接触部２５とは反対向で湾曲した形状に形成されている。付加グランドバネ部３２と付加グランド接触部３３とは、これらの構成をシェル接触部と呼ぶことにする。
【００２６】
インシュレータ４０は、樹脂等の非導電性材料で作られている。インシュレータ４０の上面部４１と下面部４２との間には、嵌合孔４３が開けられており、嵌合孔４３の上面側で上面部４１の内面にはコンタクト収容溝４４が形成されており、下面側にはグランドプレート収容溝４６が形成されている。
【００２７】
コンタクト収容溝４４の奥部には、図３及び図６に示すように、コンタクト収容孔４５が形成されており、グランドプレート収容溝４６の奥部には、図３及び図６に示すように、グランドプレート収容孔４７が形成されている。
【００２８】
インシュレータ４０の長手方向の両端部には、凹部４８が形成されており、凹部４８の上面内側には溝４９が形成されており、下面内側には溝５０が形成されており、奥部にはシェル穴５１が開けられている。溝４９の奥部は、裏面から孔５２が開けられており、溝５０の奥部は裏面から孔５３が開けられている。
【００２９】
上面部４１にはシェル保持用溝５４が形成されており、下面部４２にはシェル保持用溝５６が形成されている。それぞれのシェル保持用溝５４，５６の奥部には、シェル係合用孔５５，５７が開けられている。また、下面部４２には、インシュレータ４０の長手方向の両端側に、図４に示すような一対のスリット５８が切られている。
【００３０】
シェル６０は、コンタクト１０、グランドプレート２０及びインシュレータ４０を覆っている。シェル６０は、長手方向を直交する断面から見ると、略コの字状に作られているプレス部品であり、前面にはシェル嵌合孔６１が開けられており、その下側にはガイド面６２が形成されている。
【００３１】
図５及び図６によって最も良くわかるように、シェル嵌合孔６１の両外側は、シェル６０の互いに平行な上面板７２及び下面板７４間へ入り込むように曲げられている折込部６３となっている。折込部６３には、長手方向の中央付近に凸部６４，６５が形成されており、先端側にはエッジ部６６，６７が形成されており、凸部６４，６５及びエッジ部６６，６７に凹部６８，６９が形成されている。さらに、折込部６３には、ロック孔７０及びリブ７１が形成されている。
【００３２】
シェル６０の上面板７２には、シェル圧入部７３が形成されており、下面板７４にはシェル圧入部７５が形成されている。下面板７４の長手方向の両側は、延長されて半田付け用のシェル端子部７６となっている。
【００３３】
次に、コネクタ１の組み立てについて説明する。コネクタ１は、複数のコンタクト１０をコンタクト孔４５に圧入し、長手方向である第１の方向へ並んだ状態で固定される。グランドプレート２０はインシュレータ４０の後側から組み込まれ、グランドプレート２０のグランド圧入部２３がインシュレータ４０のグランドプレート孔４７に圧入され固定される。この時、インシュレータ４０の孔５２には、クリップ部２７の上側バネ部２８が入り込み、、インシュレータ４０の孔５３には下側バネ部３０が入り込み、スリット５８には付加グランドバネ部３２が入り込む。このとき、図７に示すように、付加グランドバネ部３２の頂点はインシュレータ４０の下面部４２上へ突出する。
【００３４】
シェル６０はインシュレータ４０の前方から組み込まれ、シェル６０の圧入部７３，７５が、インシュレータ４０のシェル保持用溝５４，５６を通過して、シェル穴５５，５７に圧入され固定される。
【００３５】
シェル６０のインシュレータ４０へ組み込む際には、凸部６４は溝４９に、凸部６５は溝５０に入り込むことで、折込部６３は左右方向に位置決めされ、折込部６３の先端部はシェル穴５１を通過する。折込部６３がシェル穴５１を通過すると、エッジ部６６はグランドプレート２０のクリップ部２７の上側バネ部２８を通過した後にクリップ部２７の穴部２９に入り込み、上側バネ部２８は凹部６８に接触する。また、エッジ部６７は下側バネ部３０を通過した後の切欠き３１に入り込み、下側バネ部３０は凹部６９に接触する。
【００３６】
このシェル６０の組立時に、グランドプレート２０の付加グランド接触部３３は、インシュレータ４０の下面部４２から突出しているため、付加グランド接触部３３はシェル６０の下面７４の内側に接触して、グランドプレート２０とシェル６０が導通状態となる。
【００３７】
図１に戻り、相手側コネクタ１００は、相手コンタクト１１０と、相手インシュレータ１２０と、ピン１３０、レバー１４０、グランドシェル（図示せず）からなり、相手コンタクト１１０には電線１６０が結線されている。
【００３８】
相手インシュレータ１２０には、板状の相手嵌合部１２１、本体部１２２、ガイドポスト部１２３，１２４が形成されている。相手嵌合部１２１の裏面には、導電性のグランドシェル（図示せず）が組み込まれている。相手嵌合部１２１は、コネクタ１及び相手側コネクタ１００が嵌合したときに、第１の方向に対向配置されるコンタクト１０及びグランドプレート２０とによって挟み込まれる。
【００３９】
コネクタ１には、相手側コネクタ１００の相手嵌合部１２１を受容するための嵌合孔２ａと、相手側コネクタ１００のガイドポスト部１２３，１２４を受容するためのポスト孔３ａ，４ａを備える。相手インシュレータ１２０の本体部１２２の両端側には、レバー１４０がピン１３０を中心として回動可能に固定されている。
【００４０】
レバー１４０は、金属板をプレス加工することによって作られている。レバー１４０の両側面部が操作部１４１となり、上面部１４２と下面部１４３で相手インシュレータ１２０の本体部１２２を挟み込むように組み込まれている。
【００４１】
操作部１４１からは、板バネ部１４４が延びており、板バネ部１４４は相手インシュレータ１２０の本体部１２２に対して反発力を発生させる。この反発力によりレバー１４０の操作部１４１は、図１の矢印１５０方向の力を受けるため相手インシュレータ１２０から常に離れるように作用する。
【００４２】
コネクタ１と相手側コネクタ１００とが嵌合するときには、相手嵌合部１２１が嵌合孔２ａに挿入されることによってコンタクト１０と相手コンタクト１１０は接触し、ガイドポスト部１２３，１２４がポスト孔３ａ，４ａにそれぞれ挿入される。さらに、相手側コネクタ１００を挿入すると、レバー１４０の矢尻部（図示せず）がシェル６０のロック孔７０に入り込み、ロック状態となる。
【００４３】
ロック状態を解除するには、レバー１４０の操作部１４１を押込むことにより、板バネ部１４４の反発力に反してレバー１４０が回転し、突出状態の矢尻部は、図１の矢印１５１方向へ回転してガイドポスト部１２３，１２４から引っ込み、シェル６０との係止状態は解除される。なお、操作部１４１を押込んだまま相手側コネクタ１００を抜去すると、相手側コネクタ１００も抜去できる。
【００４４】
上述したコンタクト１０は、相手側コネクタ１００の相手コンタクト１１０と接触して、電気信号を伝達する目的で使用される。グランドプレート２０は、相手側コネクタ１００のグランドシェルと接触して、機器本体のグランド信号を伝達するために使用される。シェル６０は、コネクタ１が使用される機器内外のノイズから信号コンタクトを保護する目的で使用される。コンタクト１０の端子部１４と、グランドプレート２０のグランド端子部２６と、シェル６０のシェル端子部７６とは、例えば、ＬＣＤパネルのような基板に半田付けされることによって固定される。
【００４５】
コネクタ１と相手側コネクタ１００の嵌合時には相手嵌合部１２１が嵌合孔２ａに、ガイドポスト部１２３，１２４がポスト孔３ａ，４ａにそれぞれ挿入される。このとき、コンタクト１０と相手コンタクト１１０、グランドプレート２０とグランドシェルとは接続するため、電線１６０からの電気信号は相手コンタクト１１０およびコンタクト１０を通じてＬＣＤパネル等の基板に伝送される。また、グランド信号はグランドシェルからグランドプレート２０を通じてＬＣＤパネル等の基板に伝送される。
【００４６】
図８は、コネクタの第２実施の形態例と、コネクタに接続する相手側コネクタを示している。図９は、図８に示したコネクタを分解して示している。図１０は、図９に示したコネクタを逆向きにした状態で見た状態を示している。図１１は、図１０に示したコネクタを反転した状態で見た状態を示している。図１２は、図８に示したコネクタのうち、シェルを除く部品を組み立てた状態を示している。
【００４７】
図８乃至図１２を参照して、コネクタ１′は、導電性のコンタクト（第１コンタクト）１０′と、導電性のグランドプレート（第２コンタクト）２０′と、複数のコンタクト１０′及びグランドプレート２０′を保持するインシュレータ４０′と、導電性のシェル６０′とを有している。コネクタ１′は、図８に示した相手側コネクタ１００′に嵌合することによって接続される。
【００４８】
なお、第２実施の形態例におけるコネクタ１′及び相手側コネクタ１００′は、第１実施の形態例によって説明したコネクタ１及び相手側コネクタ１００に対して形状が若干異なるが、同じ機能を果たすものである。よって、コンタクト１０′、グランドプレート２０′、インシュレータ４０′及びシェル６０′の各構成要素及び相手側コネクタ１００′の各構成要素については、第１実施の形態例におけるコネクタ１及び相手側コネクタ１００と同じ符号を付して説明を省略する。
【００４９】
コネクタ１′は、シェル６０′をインシュレータ４０′の後側から組み込むように構成されているものであり、このコネクタ１′においても第１実施の形態例によって説明したコネクタ１の構造を適応することが可能である。このコネクタ１′の場合、グランドプレート２０′には、第１実施の形態例におけるグランドプレート２０の第１連結部２１を形成しなくても実施することが可能である。
【００５０】
なお、上述した実施の形態例において、第１及び第２連結部２１，２２は、略Ｌ字状と嵌合方向に平面を有する場合であるが、嵌合方向と交差する第２の方向に平面があっても良い。
【００５１】
図１３は、コネクタの第３実施の形態例と、コネクタに接続する相手側コネクタを示している。図１４は、図１３に示したコネクタを分解して示している。図１５は、図１３に示したコネクタの一部分を拡大して示している。図１６は、図１３に示したコネクタを上から見た状態を拡大して示している。
【００５２】
図１６乃至図１９を参照して、コネクタ１′′は、導電性のコンタクト（第１コンタクト）１０′′と、導電性のグランドプレート（第２コンタクト）２０′′と、複数のコンタクト１０′′及びグランドプレート２０′′を保持するインシュレータ４０′′と、導電性のシェル６０′′とを有している。コネクタ１′′は、相手側コネクタ１００′′に嵌合することによって接続される。
【００５３】
なお、第３実施の形態例におけるコネクタ１′′及び相手側コネクタ１００′′は、第１実施の形態例によって説明したコネクタ１及び相手側コネクタ１００に対して形状が若干異なるが、同じ機能を果たすものである。よって、コンタクト１０′′、グランドプレート２０′′、インシュレータ４０′′及びシェル６０′′の各構成要素、及び相手側コネクタ１００′′の各構成要素については、第１実施の形態例におけるコネクタ１及び相手側コネクタ１００と同じ符号を付して説明を省略する。
【００５４】
コネクタ１′′は、相手側コネクタコンタクト１００′′の挿入方向とは反対側から、コンタクト１０′′とグランドプレート２０′′とをインシュレータ４０′′に組み込み、その後、相手側コネクタ１００′′の層乳方向と同一方向からシェル６０′′をインシュレータ４０′′に組み込む。これは、第１実施の形態例によるコネクタ１と同じ組立方向である。
【００５５】
以上に述べた組立時に、グランドプレート２０の両端部分に形成されている差込部３４は、インシュレータ４０′′のシェル穴５１へ後方から組み込まれ、一方、シェル６０′′は、折込部６３が前方からシェル穴５１へ組み込まれる。
【００５６】
グランドプレート２０′′の差込部３４には、ダボ３５が形成されている。このダボ３５は、折込部６３に接触し、グランドプレート２０′′とシェル６０′′とが導通状態となる。このように、グランドプレート２０′′とシェル６０′′との接触部が弾性を持たずに接触する構造であってもよい。
【００５７】
【発明の効果】
本発明によれば、グランドプレートに相手側コネクタのグランドシェルに接触するための第２コンタクト接触部と、シェルに接触するためのシェル接触部とを別々に設けたことにより、グランド信号がグランドプレート及びシェルにも伝達可能であり、電気的性能に優れ、グランドプレートとシェルとの接触が相手側コネクタの挿入力に影響を与えないコネクタを提供することができる。
【００５８】
また、本発明によれば、相手側コネクタのグランドシェルと接触して導通するグランドプレートに、シェルへ接触する付加グランド接触部を付加することにより、電気的特性に優れたまま、挿入・抜去力の低いコネクタを提供することが可能となる。
【００５９】
また、本発明によれば、グランドプレートの第２コンタクト接触部とは異なる部分で、グランドプレートとシェルとの導通を得ることができ、グランドプレートを流れるグランド信号をシェルに伝えることができる。
【００６０】
さらに、シェルの凹部とグランドプレートの上側バネ部、下側バネ部が接触するため、シェルとグランドプレートが導通し、グランド信号の伝達経路が増加し、優れた電気性能を有したコネクタを提供することができる。
【図面の簡単な説明】
【図１】本発明に係るコネクタの第１実施の形態例と、コネクタに接続する相手側コネクタを示す斜視図である。
【図２】図１に示したコネクタの分解して示した斜視図である。
【図３】図２に示したコネクタを逆向きにした状態で見た状態の斜視図である。
【図４】図２に示したコネクタを反転した状態で見た状態の斜視図である。
【図５】図２に示したコネクタのシェルの一部を削除し要部を拡大して示した斜視図である。
【図６】図３に示したコネクタの要部を拡大して示した斜視図である。
【図７】図２に示したコネクタのうち、シェルを除く部品を組み立てた状態を示す斜視図である。
【図８】本発明に係るコネクタの第２実施の形態例と、コネクタに接続する相手側コネクタを示す斜視図である。
【図９】図８に示したコネクタを分解して示した斜視図である。
【図１０】図９に示したコネクタを逆向きにした状態で見た状態の斜視図である。
【図１１】図１０に示したコネクタを反転した状態で見た状態の斜視図である。
【図１２】図８に示したコネクタのうち、シェルを除く部品を組み立てた状態を示す斜視図である。
【図１３】本発明に係るコネクタの第３実施の形態例と、コネクタに接続する相手側コネクタを示す斜視図である。
【図１４】図１３に示したコネクタを分解して示した斜視図である。
【図１５】図１４に示したコネクタの要部を拡大して示した斜視図である。
【図１６】図１３に示したコネクタを要部を上から見た状態で拡大して示した平面断面図である。
【図１７】先行技術におけるコネクタと相手側コネクタとが未嵌合である状態を示す断面図である。
【図１８】図１７に示したコネクタと相手側コネクタとの嵌合途中の状態を示す断面図である。
【図１９】図１８に示したコネクタと相手側コネクタとの嵌合状態を示す断面図である。
【符号の説明】
１，１′，１′′，３０１    コネクタ
３ａ，４ａ    ポスト孔
１０，１０′，１０′′，３１０    コンタクト
１１    圧入部
１２    バネ部
１３    接触部
１４，３２６    端子部
２０，２０′，２０′′，３２０    グランドプレート
２１    第１連結部
２２    第２連結部
２３    グランド圧入部
２４    グランドバネ部
２５    グランド接触部
２６    グランド端子部
２７    クリップ部
２８    上側バネ部
２９    穴部
３０    下側バネ部
３１    切欠き
３２    付加グランドバネ部
３３    付加グランド接触部
４０，４０′，４０′′，３４０    インシュレータ
４３    嵌合孔
４４    コンタクト収容溝
４６    グランドプレート収容溝
４５    コンタクト収容孔
４７    グランドプレート収容孔
４８，６８，６９    凹部
４９，５０    溝
５１    シェル穴
５２，５３    孔
５４，５６    シェル保持用溝
５５，５７    シェル係合用孔
５８    スリット
６０，６０′，６０′′，３６０    シェル
６１    シェル嵌合孔
６２    ガイド面
６３    折込部
６４，６５    凸部
６６，６７    エッジ部
７０    ロック孔
７１    リブ
７３，７５    シェル圧入部
７６    シェル端子部
１００，１００′，１００′′，４０１    相手側コネクタ
１２１    相手嵌合部
１２２    本体部
１２３，１２４    ガイドポスト部
１４０    レバー
１４１    操作部
３１２，３２４    バネ片
３７７    窓孔
３７８    一辺
【図１】
2004327244.tif 000003
【図２】
2004327244.tif 000004
【図３】
2004327244.tif 000005
【図４】
2004327244.tif 000006
【図５】
2004327244.tif 000007
【図６】
2004327244.tif 000008
【図７】
2004327244.tif 000009
【図８】
2004327244.tif 000010
【図９】
2004327244.tif 000011
【図１０】
2004327244.tif 000012
【図１１】
2004327244.tif 000013
【図１２】
2004327244.tif 000014
【図１３】
2004327244.tif 000015
【図１４】
2004327244.tif 000016
【図１５】
2004327244.tif 000017
【図１６】
2004327244.tif 000018
【図１７】
2004327244.tif 000019
【図１８】
2004327244.tif 000020
【図１９】
2004327244.tif 000021
【手続補正書】
【提出日】平成15年11月26日(2003.11.26)
【手続補正１】
【補正対象書類名】明細書
【補正対象項目名】特許請求の範囲
【補正方法】変更
【補正の内容】
【特許請求の範囲】
【請求項１】
導電性の相手コンタクトが配設された相手嵌合部を備えている相手側コネクタの、前記相手嵌合部を挟み込む第１の方向に対向配置される導電性の第１コンタクト及び第２コンタクトと、該第１及び第２コンタクトを保持しているインシュレータと、前記第１コンタクト、前記第２コンタクト、前記インシュレータを覆うシェルとを含むコネクタにおいて、
前記第２コンタクトは、前記第１の方向を交差する第２の方向に延在している連結部と、前記相手コンタクトと接続する第２コンタクト接触部の複数と、前記シェルと接続する少なくとも１つのシェル接触部と、端子部とを有し、
前記インシュレータはスリットを有し、該スリットには前記シェル接触部が入り込んでおり、
前記シェル接触部は、前記インシュレータより突出して前記シェルの内側と接触し前記第２コンタクトと前記シェルとが接続しており、
前記第２コンタクト接触部と前記シェル接触部とは、前記連結部から同一方向に延設されており、前記端子部は、前記第２コンタクト接触部と前記シェル接触部と異なる方向で前記連結部から延設されていることを特徴とするコネクタ。
【手続補正２】
【補正対象書類名】明細書
【補正対象項目名】００１４
【補正方法】変更
【補正の内容】
【００１４】
【課題を解決するための手段】
本発明によれば、導電性の相手コンタクトが配設された相手嵌合部を備えている相手側コネクタの、前記相手嵌合部を挟み込む第１の方向に対向配置される導電性の第１コンタクト及び第２コンタクトと、該第１及び第２コンタクトを保持しているインシュレータと、前記第１コンタクト、前記第２コンタクト、前記インシュレータを覆うシェルとを含むコネクタにおいて、前記第２コンタクトは、前記第１の方向を交差する第２の方向に延在している連結部と、前記相手コンタクトと接続する第２コンタクト接触部の複数と、前記シェルと接続する少なくとも１つのシェル接触部と、端子部とを有し、前記インシュレータはスリットを有し、該スリットには前記シェル接触部が入り込んでおり、前記シェル接触部は、前記インシュレータより突出して前記シェルの内側と接触し前記第２コンタクトと前記シェルとが接続しており、前記第２コンタクト接触部と前記シェル接触部とは、前記連結部から同一方向に延設されており、前記端子部は、前記第２コンタクト接触部と前記シェル接触部と異なる方向で前記連結部から延設されていることを特徴とするコネクタが得られる。


【手続補正３】
【補正対象書類名】明細書
【補正対象項目名】００１５
【補正方法】変更
【補正の内容】
【００１５】
【発明の実施の形態】
以下に、本発明に係るコネクタの第１実施の形態例を説明する。図１は、本発明に係るコネクタの第１実施の形態例と、このコネクタに接続する相手側コネクタを示している。図２は、図１に示したコネクタを分解して示している。図３は、図２に示したコネクタを逆向きにした状態で見た状態を示している。図４は、図２に示したコネクタを反転した状態で見た状態を示している。


【手続補正４】
【補正対象書類名】明細書
【補正対象項目名】００２３
【補正方法】変更
【補正の内容】
【００２３】
また、グランドプレート２０は、長手方向の両側近傍において第１連結部２１からグランドバネ部２４とは反対方向へ延びているグランド端子部２６と、長手方向の両側に形成されているクリップ部２７とを有している。グリップ部２７は、上側バネ部２８と、上側バネ部２８に対向している下側バネ部３０とを有し、上側バネ部２８及び下側バネ部３０がグランドバネ部２４と同一方向へ延びている。グランドバネ部２４の自由端部には、接触部１３とは逆向きに湾曲された形状のグランド接触部２５が形成されている。ここで、グランドバネ部２４とグランド接触部２５とは、これらを第２コンタクト接触部と呼ぶことにする。


【手続補正５】
【補正対象書類名】明細書
【補正対象項目名】００５４
【補正方法】変更
【補正の内容】
【００５４】
コネクタ１′′は、相手側コネクタコンタクト１００′′の挿入方向とは反対側から、コンタクト１０′′とグランドプレート２０′′とをインシュレータ４０′′に組み込み、その後、相手側コネクタ１００′′の挿入方向と同一方向からシェル６０′′をインシュレータ４０′′に組み込む。これは、第１実施の形態例によるコネクタ１と同じ組立方向である。